(57)【要約】  本発明は、二つのまち(24,28)を含むことを特徴とする包装用バッグに関し、それらのまちは、バッグ本体(10)の真向かいの二面に向けて折り返され、この状態に、それぞれの引き離し可能な連結要素（30、32）によって保持されている。
2007513023.tif 000002
【特許請求の範囲】
【請求項１】
バッグ本体(10)の真向かいの二面に向けて折り返され、この状態にそれぞれの引き離し可能な連結要素（30、32）によって保持されている二つのまち（24、28）を備えていることを特徴とする包装用バッグ。
【請求項２】
多数回の引き続く開閉動作が可能な閉鎖要素(50)をさらに備えることを特徴とする請求項１に記載のバッグ。
【請求項３】
少なくとも一つの閉鎖要素(50)がまち（24、28）に設けられていることを特徴とする請求項２に記載のバッグ。
【請求項４】
閉鎖要素(50)の配置が、まち（24、28）がそれに連係する連結要素（30、32）によって折り返された状態に保持されている時に閉鎖要素がバッグの内容物による応力を受けないようになっていることを特徴とする請求項２または３のいずれかに記載のバッグ。
【請求項５】
閉鎖要素(50)がまち（24、28）の折り線(22)に対して垂直な方向に位置することを特徴とする請求項２〜４のいずれかに記載のバッグ。
【請求項６】
閉鎖要素(50)がまち（24、28）の折り線(22)に対して平行な方向に位置することを特徴とする請求項２〜４のいずれかに記載のバッグ。
【請求項７】
引き離し可能な連結要素（30、32）が少なくとも一つの粘着性ストリップを含むことを特徴とする請求項１〜６のいずれかに記載のバッグ。
【請求項８】
引き離し可能な連結要素が「ベルクロ(R)」タイプの相補型要素を含むことを特徴とする請求項１〜６のいずれかに記載のバッグ。
【請求項９】
引き離し可能な連結要素が雄型、雌型または鉤状タイプの相補型の二つの押出成形品を含むことを特徴とする請求項１〜６のいずれかに記載のバッグ。
【請求項１０】
引き離し可能な連結要素がスライド部材により動作されることを特徴とする請求項９に記載のバッグ。
【請求項１１】
閉鎖要素が圧着式要素を含むことを特徴とする請求項２と組み合わせた請求項１〜１０のいずれかに記載のバッグ。
【請求項１２】
閉鎖要素(50)が「ベルクロ(R)」タイプの要素を含むことを特徴とする請求項２と組み合わせた請求項１〜１０のいずれかに記載のバッグ。
【請求項１３】
閉鎖要素が雄型、雌型または鉤状タイプの相補型の二つの押出成形品を含むことを特徴とする請求項２と組み合わせた請求項１〜１０のいずれかに記載のバッグ。
【請求項１４】
閉鎖要素がスライド部材によって動作されることを特徴とする請求項１３に記載のバッグ。
【請求項１５】
引き離し可能な連結要素（30）が、まちの端部に、まちの折り線(22)と平行に、バッグの全高(▲L▼3)とほぼ同じ長さで配置されたストリップを含むことを特徴とする請求項１〜１４のいずれかに記載のバッグ。
【請求項１６】
引き離し可能な連結要素が、まちの端部(24、28)を受けるバッグ本体の壁面(16)上に、まち(24,28)の折り線(22)と平行に配置されたストリップ（32）を含むことを特徴とする請求項１〜１５のいずれかに記載のバッグ。
【請求項１７】
引き離し可能な連結要素が、それぞれまち(24、28)の端部と、この端部を受けることになるバッグ本体の壁面(16)とに配置された、まちの折り線(22)に平行な二つのストリップ(30、32)を含むことを特徴とする請求項１〜１６のいずれかに記載のバッグ。
【請求項１８】
まち(24、28)のそれぞれが、バッグに内容物を入れる方向にほぼ垂直な平面内に位置することを特徴とする請求項１〜１７のいずれかに記載のバッグ。
【請求項１９】
まち(24、28)のそれぞれが、当初の開孔部(12)を取り囲んでいるバッグの１壁面に当たるように、バッグに内容物を入れる方向に対してほぼ平行な平面内に位置することを特徴とする請求項１〜１７のいずれかに記載のバッグ。
【請求項２０】
バッグ本体の真向かいの二面に向けて折り返された二箇所のまち(24、28)が当初の開いている開孔部の周辺に位置することを特徴とする請求項１〜１９のいずれかに記載のバッグ。
【請求項２１】
まち(24、28)のそれぞれが、それが折り返されているバッグ本体の面の一部だけを覆っていることを特徴とする請求項１〜２０のいずれかに記載のバッグ。
【請求項２２】
二つのまち(24、28)をそれぞれバッグ本体の真向かいの面に折り返す工程と、各まち用の引き離し可能な連結要素(30、32)によってこれらのまちをこの状態に保持する工程、とを含むことを特徴とする包装材の製造方法。
【請求項２３】
二つのまち(24、28)をバッグ本体(10)の真向かいの面に折り返すことができる手段と、引き離し可能な連結要素(30、32)によってこれらのまち(24、28)をこの状態に保持することができる手段、とを備えることを特徴とする包装材の製造装置。
【発明の詳細な説明】
【技術分野】
【０００１】
本発明は包装用バッグ（包装袋）の分野に関する。
より正確には、本発明は、好ましくは例えば複数回の引き続く開閉動作が可能な開閉手段（非制限な例としては相補型の押出成形品の形態の）を備えた包装用バッグの分野に関する。
【背景技術】
【０００２】
下記特許文献１に、複数回の引き続く開閉に適した公知の包装用バッグの１例が示されている。このバッグは、折り返しにより形成された一つの「まち(gusset)」を備え、このまちは、必要に応じて一回または複数回の使用が可能な、引き離し(連結解除)が可能な要素によって、この(折り返された)状態に保持されている。この包装用バッグは、再閉鎖可能な開口を可能にする第二の要素をさらに備えている。
【特許文献１】EP-A (欧州特許公開) 1 321 381号公報
【発明の開示】
【０００３】
本発明の目的は上記の公知バッグを改善することである。
本発明の具体的な目的は、例えば乳幼児用おしめ等の、高い圧力下で内容物を収容するように考えられた袋でありながら、最初に一つの製品を取り出した後も内容物に容易に接近することができるバッグを提案することである。
【０００４】
この目的は、本発明において、バッグ本体の真向かいの二面に向けて折り返され、この状態に、引き離し可能な連結要素によって保持されている二つのまちを備えた包装用バッグにより達成される。
【０００５】
本発明の有利な特徴の一つによれば、少なくとも一つのまちは、複数回の開閉動作に適した閉鎖要素を備える。
本発明の有利な特徴の他の一つによれば、複数回の開閉動作に適したこの閉鎖要素は、前記少なくとも一つのまちが折り返された状態に、引き離し可能な連結要素によって保持されている時に、この閉鎖要素がバッグの内容物による応力を受けないように配置されている。
【０００６】
本発明はまた、バッグ本体の真向かいの二面上にまちを折り返す工程と、これらのまちを、引き離し可能な連結要素によってこの状態に保持する工程、とを含む包装材の製造方法にも関する。
【０００７】
本発明はまた、まちをバッグ本体の真向かいの面に折り返すことができる手段と、引き離し可能な連結要素によってこれらのまちをこの状態に保持することができる手段、とを備えた包装材の製造装置にも関する。
【発明を実施するための最良の形態】
【０００８】
本発明の他の特徴、目的および利点は、添付図面を参照しつつ以下の詳細な説明を読むことによって明らかになろう。添付図面は限定されない実例として提示したものである。
添付の図１および２は、本発明に係るバッグを、その製造工程の引き続いた二段階の状態で模式的に示す。
【０００９】
図１に見られるように、本発明に係るバッグは、最初の段階では、ほぼ筒状のバッグ本体10を含んでいて、開いている開孔部12と、それとは他端側における底部14とを有する。好ましくは、バッグ本体10は、互いに直角をなす４枚の主壁面により構成される。したがって、その断面は略正方形または略長方形である。これらの壁面のうちの２枚は、図１に参照番号15および16として示されている。残りの２枚の壁面は、それぞれ最初の２枚の壁面15および16のそれぞれと平行および垂直である。バッグの壁面には多くの具体化法が考えられる。
【００１０】
これらの壁面は熱可塑性材料から作られることが望ましい。
これらの壁面は単層であっても多層であってもよく、また、単一材料もしくは複数材料から構成されうる。適当であれば、バッグの壁面は、紙基材を熱可塑性材料の層、またはメタライズ処理(金属被覆)された熱可塑性材料層により被覆したものでもよい。
【００１１】
バッグ10は、一枚のシートまたは複数枚のシートから構成することができる。例えば、２枚のシートをそれらの縁部で、好ましくは壁面15および16に共通する縁部のような主壁面をつないでいる縁部のいずれかに沿って、溶着することにより接合したものでもよい。
【００１２】
本発明においては、それぞれ底部14および入口の開孔部12に隣接する、バッグ本体10の二つの部分20，21が、それぞれ二つのまちの形態となるように折り返される。二つのまちの形態に折り返されたバッグ10の部分20，21のそれぞれの長さ▲L▼1は、バッグの幅▲L▼2の２倍にほぼ等しい。上記の長さ▲L▼1と幅▲L▼2はいずれも、まちの折り線22に垂直であるとした時の寸法である。
【００１３】
上述した折り返し動作は、図１に各まちについて、記号Pで示される矢印により図示されている。底部14および開孔部12の部分から形成されたまちは、図２にそれぞれ24および28で示されている。
【００１４】
図２に見ることができるように、こうして形成されたまち24および28がバッグの断面全体を覆うことによって、まち24および28が両端に形成された後は、バッグ10は、図２に二つのまちについてそれぞれ25，26及び27の参照番号で示す３層の形態で、３倍の厚みを有するようになることが好ましい。
【００１５】
まち24および28は、引き離し（連結解除）が可能な二つの連結要素によってこの(折り返された)状態に保持される。この連結要素も多くの具体化変更例が考えられる。
第一の具体化法によれば、上述した引き離し可能な連結要素は粘着性ストリップの形態をとることができる。このような粘着性ストリップを、図１に30で示すストリップの形態で、バッグおよびまちの端部に配置するか、或いは、図１に32で示すストリップの形態で、まちの端部を受けることになるバッグの一方の壁面16に配置するか、或いは、図１に示した二つのストリップ30および32に対応する二枚の相補的な粘着性ストリップから構成することができる。これらの２枚のストリップ30および32は、まち24および18を折り返す間に接触させる。
【００１６】
上記ストリップ30および／または32は、まちの折り線22と平行にバッグの全高▲L▼3にほぼ達する長さで配置される。ここで、全高▲L▼3は、折り線22に平行であるとした時の高さである。
【００１７】
別の変更実施態様によれば、引き離し可能な連結手段は、図１に示した前記ストリップ30および32の位置にそれぞれ配置された相補型要素から形成することができる。すなわち、相補型要素の一方は、まち24および28の端部と一致するバッグの端部に配置し、他方の要素は前記のまち24、28の端部を受けることになるバッグ本体の壁面16上に配置される。
【００１８】
限定されない例示として、この種の相補型要素は、「ベルクロ(R)」タイプの相補型構造物、或いは相補型の雄型／雌型押出成形品、さらには相補型の鉤状構造物（恐らくはスライド部材により動作させる）から形成することができる。
【００１９】
この種の連結要素は、専門技術者には周知であるから、以下では詳細には説明しない。
好ましくは、本発明において、バッグは、複数回の開閉に適した、好ましくはまちに設けた少なくとも一つの閉鎖要素をさらに含む。このような閉鎖アセンブリは添付図面に参照番号50で示されている。
【００２０】
さらにより正確には、閉鎖要素50の構造は、まちが連結要素30、32によって折り返された状態に保持されている時に、閉鎖要素がバッグの内容物による応力を受けることのないようなものであることが好ましい。
【００２１】
限定されない例として、閉鎖アセンブリ50は、まちの一方の縁部に折り線22を横断して設けられていることが望ましい。
閉鎖アセンブリ50それ自体は、多くの変更例が考えられる。これは、圧着式の（押すだけでくっつく）要素、「ベルクロ」タイプの相補型要素、雄型/雌型タイプの相補型要素、あるいはまた鉤状(フック)タイプの相補型要素とすることができる。
【００２２】
添付の図３には、閉鎖要素50が、それぞれ雄型の要素53および雌型の相補的要素55を備えた二つの相補型押出成形品52,54から構成されている、本発明の有利な１変更例が示されている。
【００２３】
専門技術者にはこれらの手段の全てが周知である。したがって、以下ではこれらについて詳細には説明しない。
適当であれば、閉鎖要素50を構成しているこれらの開閉手段は、スライド部材60によって動作させることができる。
【００２４】
このようなスライド部材を添付の図３に概要図として示した。やはり、このスライド部材にも多くの具体化法が可能である。
この種のスライド部材60は、二つの側方ウェブ(壁板) 64,65と低い中央壁板66とを保持するベース部62を備えており、それらの壁板の間に形成された二つの非平行のチャネル67、68がそれぞれ、前記の少なくとも一つの閉鎖要素50の二つの支持ウェブ52、54の一方の少なくとも頂部を受け入れる。それにより、スライド部材60の移動方向に応じて、スライド部材60が閉鎖要素50にそれぞれ開くか、閉じるための力を加える。適当であれば、低い中央壁板66は相補型の押出成形品53と55の間に入り込むことができるが、この構成は必須ではない。
【００２５】
まち24が底部14に配置され、折り返され、これに連係する連結手段30および32によってその状態に保持された後、バッグ10には、その開孔部12から常法により圧縮下に品物が充填され、その後、開孔部12に配置された残りのまち28が折り返され、これに連係する連結手段30および32によってその状態に保持される。
【００２６】
使用にあたって、バッグの内容物を取り出すためには、まち24または28の少なくとも一方（両方が望ましいが）を展開させるために連結要素30,32の少なくとも一方、好ましくは両方を引き離すだけでよい。当初は密封されていたバッグ10内に内容物が圧縮下に入れられているにもかかわらず、バッグの内容物に簡単に接近して取り出すには、閉鎖要素50を開くだけでよい。
【００２７】
本発明は特に、例えば、乳幼児用おしめの取り出しを容易にする。
本発明はまた、バッグまたは容器10の両端部、特に底部を強くするという利点がある。実際、図２に見られるように、バッグの底部は、三層分の厚み25、26、27を有する。このことは、入口側の開孔部にもあてはまる。この点は、販売時にバッグを棚に置く時に極めて有利に働く。
【００２８】
もちろん、本発明は、上述した特定の具体化法に限定されるものではなく、本発明の技術思想に合致するいかなる変更例にも及ぶ。
図４に示されるような１変更例では、望ましくはスライド部材60を備える閉鎖アセンブリ50を、まち24または28の端部に、折り線22と平行に、前述のような折り線22を横切ることはせずに、配置することができる。
【００２９】
また、ユーザ側で何らかの動作を行うまでは閉鎖アセンブリ50がバッグの内圧に耐えることができるのであれば、閉鎖アセンブリ50はバッグの任意の他の位置に設けることもできる。
【００３０】
図５に示した１変更例では、スライド部材がまちから離れて、例えば、底部14に、二つのまちの間の位置で、配置されている。
本発明において、引き離し可能な連結手段30、32および閉鎖要素50は、バッグの壁面を構成するフィルムの材料から、このフィルムの製造中に作製することができ、或いは、別の要素から最初に形成しておいて、たとえば溶着によってバッグを構成するフィルムに接合することもできる。
【００３１】
前述した具体化法によれば、それぞれ底部14および入口開孔部12に配置されたたまち24および28は、開孔部12からバッグ10に内容物を入れる方向に対してほぼ垂直な平面内に位置する。
【００３２】
他方、図５〜７に例示した変更例によると、まち24および28は、開孔部12からバッグ10に内容物を入れる方向に対してほぼ平行な平面内に位置する。このために、図５〜７によれば、まち24および28は、開口した開孔部12を取り囲む４面の一つの面に向けて折り返されている。
【００３３】
図７に見られるように、本発明の１変更例によれば、各まち24または28は、このまち24および28が折り返されるバッグ本体10の壁面の領域の一部しか覆わないようにすることができる。まち24および28がバッグ断面の一部だけを覆うこの変更例は、図１〜４を参照して説明した具体化法にも適用できる。
【図面の簡単な説明】
【００３４】
【図１】折り返されたまちを形成する前の本発明に係る包装用バッグの斜視図を模式的に示す。
【図２】まちを折り返した後の同じバッグの模式的斜視図を示す。
【図３】スライド部材を備えた、本発明に係る閉鎖アセンブリの断面図を示す。
【図４】図２の実施変更例の部分図である。
【図５】本発明の他の変更例を示す。
【図６】本発明の他の変更例を示す。
【図７】本発明の他の変更例を示す。
【図１】
2007513023.tif 000003
【図２】
2007513023.tif 000004
【図３】
2007513023.tif 000005
【図４】
2007513023.tif 000006
【図５】
2007513023.tif 000007
【図６】
2007513023.tif 000008
【図７】
2007513023.tif 000009
【国際調査報告】
2007513023.tif 000010
2007513023.tif 000011
2007513023.tif 000012
2007513023.tif 000013